(57)【要約】【課題】下りリンク・マルチアンテナ伝送が適用される場合において変調・符号化方式を適切に設定可能とする。【解決手段】ＵＥ１００−１は、ｅＮＢ２００−２からＵＥ１００−２への送信においてＵＥ１００−１にヌルを向けるためのヌルステアリング制御情報と、ヌルステアリング制御情報がｅＮＢ２００−２において採用された場合に推奨される変調・符号化方式に関する第１のチャネル品質情報と、をｅＮＢ２００−１に送信する。ＵＥ１００−１は、第１のチャネル品質情報の送信に代えて、又は第１のチャネル品質情報の送信に加えて、ヌルステアリング制御情報がｅＮＢ２００−２において採用されない場合に推奨される変調・符号化方式に関する第２のチャネル品質情報をｅＮＢ２００−１に送信する制御を行う。【選択図】図１０
2015012302.tif 000002
【特許請求の範囲】
【請求項１】
下りリンク・マルチアンテナ伝送により無線アクセスネットワークからユーザ端末への送信を行う移動通信システムであって、
前記ユーザ端末は、
前記無線アクセスネットワークから他のユーザ端末への送信において前記ユーザ端末にヌルを向けるためのヌルステアリング制御情報と、前記ヌルステアリング制御情報が前記無線アクセスネットワークにおいて採用された場合に推奨される変調・符号化方式に関する第１のチャネル品質情報と、を前記無線アクセスネットワークに送信する送信部と、
前記第１のチャネル品質情報の送信に代えて、又は前記第１のチャネル品質情報の送信に加えて、前記ヌルステアリング制御情報が前記無線アクセスネットワークにおいて採用されない場合に推奨される変調・符号化方式に関する第２のチャネル品質情報を前記無線アクセスネットワークに送信する制御を行う制御部と、
を備えることを特徴とする移動通信システム。
【請求項２】
前記無線アクセスネットワークは、前記ユーザ端末からの前記ヌルステアリング制御情報を採用しない場合には、予め規定されたヌルステアリング制御情報を採用しており、
前記第２のチャネル品質情報は、前記予め規定されたヌルステアリング制御情報が前記無線アクセスネットワークにおいて採用された場合に推奨される変調・符号化方式に関する情報であることを特徴とする請求項１に記載の移動通信システム。
【請求項３】
前記ユーザ端末は、前記第１のチャネル品質情報を送信している場合に、前記第２のチャネル品質情報に切り替えるための設定情報を前記無線アクセスネットワークから受信する受信部をさらに備え、
前記制御部は、前記受信部における前記設定情報の受信に応じて、前記第１のチャネル品質情報の送信に代えて前記第２のチャネル品質情報を前記無線アクセスネットワークに送信する制御を行うことを特徴とする請求項１又は２に記載の移動通信システム。
【請求項４】
前記無線アクセスネットワークは、
前記ユーザ端末のサービングセルを管理する第１の基地局と、
前記他のユーザ端末のサービングセルを管理する第２の基地局と、
を備え、
前記第１の基地局は、前記ユーザ端末から前記ヌルステアリング制御情報を受信し、かつ前記ヌルステアリング制御情報を前記第２の基地局に転送しており、
前記第２の基地局は、前記ヌルステアリング制御情報を採用するか否かに関する通知を前記第１の基地局に送信することを特徴とする請求項１乃至３の何れか一項に記載の移動通信システム。
【請求項５】
前記ヌルステアリング制御情報を採用しない期間が一定期間を超えた場合、前記第１の基地局は、前記第２のチャネル品質情報に切り替えるための設定情報を前記ユーザ端末に送信することを特徴とする請求項４に記載の移動通信システム。
【請求項６】
下りリンク・マルチアンテナ伝送により無線アクセスネットワークからの送信を行う移動通信システムにおいて用いられるユーザ端末であって、
前記無線アクセスネットワークから他のユーザ端末への送信において前記ユーザ端末にヌルを向けるためのヌルステアリング制御情報と、前記ヌルステアリング制御情報が前記無線アクセスネットワークにおいて採用された場合に推奨される変調・符号化方式に関する第１のチャネル品質情報と、を前記無線アクセスネットワークに送信する送信部と、
前記第１のチャネル品質情報の送信に代えて、又は前記第１のチャネル品質情報の送信に加えて、前記ヌルステアリング制御情報が前記無線アクセスネットワークにおいて採用されない場合に推奨される変調・符号化方式に関する第２のチャネル品質情報を前記無線アクセスネットワークに送信する制御を行う制御部と、
を備えることを特徴とするユーザ端末。
【請求項７】
下りリンク・マルチアンテナ伝送により無線アクセスネットワークからユーザ端末への送信を行う移動通信システムにおいて用いられる通信制御方法であって、
前記ユーザ端末が、前記無線アクセスネットワークから他のユーザ端末への送信において前記ユーザ端末にヌルを向けるためのヌルステアリング制御情報と、前記ヌルステアリング制御情報が前記無線アクセスネットワークにおいて採用された場合に推奨される変調・符号化方式に関する第１のチャネル品質情報と、を前記無線アクセスネットワークに送信するステップと、
前記ユーザ端末が、前記第１のチャネル品質情報の送信に代えて、又は前記第１のチャネル品質情報の送信に加えて、前記ヌルステアリング制御情報が前記無線アクセスネットワークにおいて採用されない場合に推奨される変調・符号化方式に関する第２のチャネル品質情報を前記無線アクセスネットワークに送信するステップと、
を備えることを特徴とする通信制御方法。
【発明の詳細な説明】
【技術分野】
【０００１】
本発明は、下りリンク・マルチアンテナ伝送をサポートする移動通信システム、ユーザ端末、及び通信制御方法に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥシステムは、下りリンク・マルチアンテナ伝送をサポートする（非特許文献１参照）。例えば、無線アクセスネットワークに含まれる基地局は、一のユーザ端末に対してビームを向けるビームフォーミングを行いつつ、他のユーザ端末に対してヌルを向けるヌルステアリングを行う。これにより、干渉を抑圧しながら、無線リソースの利用効率を向上させることができる。
【０００３】
下りリンク・マルチアンテナ伝送の一例として、ＣＢ（Ｃｏｏｒｄｉｎａｔｅｄ  Ｂｅａｍｆｏｒｍｉｎｇ）−ＣｏＭＰ（Ｃｏｏｒｄｉｎａｔｅｄ  Ｍｕｌｔｉ  Ｐｏｉｎｔ）がある。ＣＢ−ＣｏＭＰにおいて、セルを管理する基地局は、自セルと接続する複数のビームフォーミング対象端末のそれぞれから送信されるビームフォーミング制御情報と、隣接セルと接続するヌルステアリング対象端末から送信されるヌルステアリング制御情報と、を受信する。そして、基地局は、ヌルステアリング制御情報と合致するビームフォーミング制御情報を送信するビームフォーミング対象端末を、ヌルステアリング対象端末とペアをなすペア端末として選出する。
【先行技術文献】
【非特許文献】
【０００４】
【非特許文献１】３ＧＰＰ技術仕様書  「ＴＳ３６．３３１  Ｖ１１．３．０」  ２０１３年３月１８日
【発明の概要】
【発明が解決しようとする課題】
【０００５】
ところで、ユーザ端末は、推奨される変調・符号化方式に関するチャネル品質情報をサービングセルに送信している。ヌルステアリング制御情報を送信するユーザ端末（ヌルステアリング対象端末）は、ヌルステアリングによりチャネル品質が改善されることを見込んで、修正したチャネル品質情報をサービングセルに送信することが望ましい。
【０００６】
しかしながら、例えば適切なペア端末が存在しない場合には、送信したヌルステアリング制御情報が採用されないことが想定される。従って、そのヌルステアリング制御情報に合わせて修正したチャネル品質情報が不適切なものとなり得るため、サービングセルにおいて変調・符号化方式が適切に設定されない問題がある。
【０００７】
そこで、本発明は、下りリンク・マルチアンテナ伝送が適用される場合において変調・符号化方式を適切に設定可能とする移動通信システム、ユーザ端末、及び通信制御方法を提供することを目的とする。
【課題を解決するための手段】
【０００８】
第１の特徴に係る移動通信システムは、下りリンク・マルチアンテナ伝送により無線アクセスネットワークからユーザ端末への送信を行う。前記ユーザ端末は、前記無線アクセスネットワークから他のユーザ端末への送信において前記ユーザ端末にヌルを向けるためのヌルステアリング制御情報と、前記ヌルステアリング制御情報が前記無線アクセスネットワークにおいて採用された場合に推奨される変調・符号化方式に関する第１のチャネル品質情報と、を前記無線アクセスネットワークに送信する送信部と、前記第１のチャネル品質情報の送信に代えて、又は前記第１のチャネル品質情報の送信に加えて、前記ヌルステアリング制御情報が前記無線アクセスネットワークにおいて採用されない場合に推奨される変調・符号化方式に関する第２のチャネル品質情報を前記無線アクセスネットワークに送信する制御を行う制御部と、を備える。
【０００９】
第２の特徴に係るユーザ端末は、下りリンク・マルチアンテナ伝送により無線アクセスネットワークからの送信を行う移動通信システムにおいて用いられる。前記ユーザ端末は、前記無線アクセスネットワークから他のユーザ端末への送信において前記ユーザ端末にヌルを向けるためのヌルステアリング制御情報と、前記ヌルステアリング制御情報が前記無線アクセスネットワークにおいて採用された場合に推奨される変調・符号化方式に関する第１のチャネル品質情報と、を前記無線アクセスネットワークに送信する送信部と、前記第１のチャネル品質情報の送信に代えて、又は前記第１のチャネル品質情報の送信に加えて、前記ヌルステアリング制御情報が前記無線アクセスネットワークにおいて採用されない場合に推奨される変調・符号化方式に関する第２のチャネル品質情報を前記無線アクセスネットワークに送信する制御を行う制御部と、を備える。
【００１０】
第３の特徴に係る通信制御方法は、下りリンク・マルチアンテナ伝送により無線アクセスネットワークからユーザ端末への送信を行う移動通信システムにおいて用いられる。前記通信制御方法は、前記ユーザ端末が、前記無線アクセスネットワークから他のユーザ端末への送信において前記ユーザ端末にヌルを向けるためのヌルステアリング制御情報と、前記ヌルステアリング制御情報が前記無線アクセスネットワークにおいて採用された場合に推奨される変調・符号化方式に関する第１のチャネル品質情報と、を前記無線アクセスネットワークに送信するステップと、前記ユーザ端末が、前記第１のチャネル品質情報の送信に代えて、又は前記第１のチャネル品質情報の送信に加えて、前記ヌルステアリング制御情報が前記無線アクセスネットワークにおいて採用されない場合に推奨される変調・符号化方式に関する第２のチャネル品質情報を前記無線アクセスネットワークに送信するステップと、を備える。
【発明の効果】
【００１１】
本発明によれば、下りリンク・マルチアンテナ伝送が適用される場合において変調・符号化方式を適切に設定可能とする移動通信システム、ユーザ端末、及び通信制御方法を提供できる。
【図面の簡単な説明】
【００１２】
【図１】実施形態に係るＬＴＥシステムの構成図である。
【図２】実施形態に係るＵＥのブロック図である。
【図３】実施形態に係るｅＮＢのブロック図である。
【図４】実施形態に係る無線インターフェイスのプロトコルスタック図である。
【図５】実施形態に係る無線フレームの構成図である。
【図６】実施形態に係るＣＢ−ＣｏＭＰを説明するための図である。
【図７】実施形態に係るＣＢ−ＣｏＭＰを説明するための図である。
【図８】実施形態に係るビームフォーミング制御情報と干渉レベルとの関係を説明するための図である。
【図９】実施形態に係るｅＮＢの動作フロー図である。
【図１０】実施形態に係るＬＴＥシステムの動作概要を説明するための図である。
【図１１】実施形態に係るＬＴＥシステムの動作パターン１のシーケンス図である。
【図１２】実施形態に係るＬＴＥシステムの動作パターン２のシーケンス図である。
【図１３】実施形態に係るＬＴＥシステムの動作パターン３のシーケンス図である。
【図１４】実施形態の変更例に係るＭＵ−ＭＩＭＯを説明するための図である。
【図１５】実施形態の変更例に係るＭＵ−ＭＩＭＯを説明するための図である。
【発明を実施するための形態】
【００１３】
［実施形態の概要］
実施形態に係る移動通信システムは、下りリンク・マルチアンテナ伝送により無線アクセスネットワークからユーザ端末への送信を行う。前記ユーザ端末は、前記無線アクセスネットワークから他のユーザ端末への送信において前記ユーザ端末にヌルを向けるためのヌルステアリング制御情報と、前記ヌルステアリング制御情報が前記無線アクセスネットワークにおいて採用された場合に推奨される変調・符号化方式に関する第１のチャネル品質情報と、を前記無線アクセスネットワークに送信する送信部と、前記第１のチャネル品質情報の送信に代えて、又は前記第１のチャネル品質情報の送信に加えて、前記ヌルステアリング制御情報が前記無線アクセスネットワークにおいて採用されない場合に推奨される変調・符号化方式に関する第２のチャネル品質情報を前記無線アクセスネットワークに送信する制御を行う制御部と、を備える。
【００１４】
実施形態では、前記無線アクセスネットワークは、前記ユーザ端末からの前記ヌルステアリング制御情報を採用しない場合には、予め規定されたヌルステアリング制御情報を採用する。前記第２のチャネル品質情報は、前記予め規定されたヌルステアリング制御情報が前記無線アクセスネットワークにおいて採用された場合に推奨される変調・符号化方式に関する情報である。
【００１５】
実施形態では、前記ユーザ端末は、前記第１のチャネル品質情報を送信している場合に、前記第２のチャネル品質情報に切り替えるための設定情報を前記無線アクセスネットワークから受信する受信部をさらに備える。前記制御部は、前記受信部における前記設定情報の受信に応じて、前記第１のチャネル品質情報の送信に代えて前記第２のチャネル品質情報を前記無線アクセスネットワークに送信する制御を行う。
【００１６】
実施形態では、前記無線アクセスネットワークは、前記ユーザ端末のサービングセルを管理する第１の基地局と、前記他のユーザ端末のサービングセルを管理する第２の基地局と、を備える。前記第１の基地局は、前記ユーザ端末から前記ヌルステアリング制御情報を受信し、かつ前記ヌルステアリング制御情報を前記第２の基地局に転送する。前記第２の基地局は、前記ヌルステアリング制御情報を採用するか否かに関する通知を前記第１の基地局に送信する。
【００１７】
実施形態では、前記ヌルステアリング制御情報を採用しない期間が一定期間を超えた場合、前記第１の基地局は、前記第２のチャネル品質情報に切り替えるための設定情報を前記ユーザ端末に送信する。
【００１８】
実施形態に係るユーザ端末は、下りリンク・マルチアンテナ伝送により無線アクセスネットワークからの送信を行う移動通信システムにおいて用いられる。前記ユーザ端末は、前記無線アクセスネットワークから他のユーザ端末への送信において前記ユーザ端末にヌルを向けるためのヌルステアリング制御情報と、前記ヌルステアリング制御情報が前記無線アクセスネットワークにおいて採用された場合に推奨される変調・符号化方式に関する第１のチャネル品質情報と、を前記無線アクセスネットワークに送信する送信部と、前記第１のチャネル品質情報の送信に代えて、又は前記第１のチャネル品質情報の送信に加えて、前記ヌルステアリング制御情報が前記無線アクセスネットワークにおいて採用されない場合に推奨される変調・符号化方式に関する第２のチャネル品質情報を前記無線アクセスネットワークに送信する制御を行う制御部と、を備える。
【００１９】
実施形態に係る通信制御方法は、下りリンク・マルチアンテナ伝送により無線アクセスネットワークからユーザ端末への送信を行う移動通信システムにおいて用いられる。前記通信制御方法は、前記ユーザ端末が、前記無線アクセスネットワークから他のユーザ端末への送信において前記ユーザ端末にヌルを向けるためのヌルステアリング制御情報と、前記ヌルステアリング制御情報が前記無線アクセスネットワークにおいて採用された場合に推奨される変調・符号化方式に関する第１のチャネル品質情報と、を前記無線アクセスネットワークに送信するステップと、前記ユーザ端末が、前記第１のチャネル品質情報の送信に代えて、又は前記第１のチャネル品質情報の送信に加えて、前記ヌルステアリング制御情報が前記無線アクセスネットワークにおいて採用されない場合に推奨される変調・符号化方式に関する第２のチャネル品質情報を前記無線アクセスネットワークに送信するステップと、を備える。
【００２０】
［実施形態］
以下において、本発明をＬＴＥシステムに適用する場合の実施形態を説明する。
【００２１】
（システム構成）
図１は、実施形態に係るＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２２】
ＵＥ１００は、ユーザ端末に相当する。ＵＥ１００は、移動型の通信装置であり、接続先のセル（サービングセル）との無線通信を行う。ＵＥ１００の構成については後述する。
【００２３】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２４】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００２５】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００２６】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００２７】
複数のアンテナ１０１及び無線送受信機１１０は、無線信号の送受信に用いられる。無線送受信機１１０は、プロセッサ１６０が出力するベースバンド信号（送信信号）を無線信号に変換して複数のアンテナ１０１から送信する。また、無線送受信機１１０は、複数のアンテナ１０１が受信する無線信号をベースバンド信号（受信信号）に変換してプロセッサ１６０に出力する。
【００２８】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００２９】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３０】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。
【００３１】
複数のアンテナ２０１及び無線送受信機２１０は、無線信号の送受信に用いられる。無線送受信機２１０は、プロセッサ２４０が出力するベースバンド信号（送信信号）を無線信号に変換して複数のアンテナ２０１から送信する。また、無線送受信機２１０は、複数のアンテナ２０１が受信する無線信号をベースバンド信号（受信信号）に変換してプロセッサ２４０に出力する。
【００３２】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３３】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００３４】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉａ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３５】
物理層は、符号化・復号、変調・復調、アンテナマッピング・デマッピング、及びリソースマッピング・デマッピングを行う。ｅＮＢ２００の物理層は、プリコーダ行列（送信アンテナウェイト）及びランク（信号系列数）を適用して下りリンク・マルチアンテナ伝送を行う。実施形態に係る下りリンク・マルチアンテナ伝送の詳細については後述する。ＵＥ１００の物理層とｅＮＢ２００の物理層との間では、物理チャネルを介してユーザデータ及び制御信号が伝送される。
【００３６】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００３７】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００３８】
ＰＤＣＰ層は、ヘッダ圧縮・伸張、及び暗号化・復号化を行う。
【００３９】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ接続状態）であり、そうでない場合、ＵＥ１００はアイドル状態（ＲＲＣアイドル状態）である。
【００４０】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００４１】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４２】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。ＵＥ１００に割り当てられる無線リソースのうち、周波数リソースはリソースブロックにより特定でき、時間リソースはサブフレーム（又はスロット）により特定できる。
【００４３】
下りリンクにおいて、各サブフレームの先頭数シンボルの区間は、主に制御信号を伝送するための物理下りリンク制御チャネル（ＰＤＣＣＨ）として使用される領域である。また、各サブフレームの残りの部分は、主にユーザデータを伝送するための物理下りリンク共有チャネル（ＰＤＳＣＨ）として使用できる領域である。
【００４４】
上りリンクにおいて、各サブフレームにおける周波数方向の両端部は、主に制御信号を伝送するための物理上りリンク制御チャネル（ＰＵＣＣＨ）として使用される領域である。各サブフレームにおける残りの部分は、主にユーザデータを伝送するための物理上りリンク共有チャネル（ＰＵＳＣＨ）として使用できる領域である。
【００４５】
（ＣＢ−ＣｏＭＰ）
実施形態に係るＬＴＥシステムは、下りリンク・マルチアンテナ伝送の一形態であるＣＢ−ＣｏＭＰをサポートする。ＣＢ−ＣｏＭＰでは、複数のｅＮＢ２００が協調してビームフォーミング及びヌルステアリングを行う。
【００４６】
図６及び図７は、ＣＢ−ＣｏＭＰを説明するための図である。図６に示すように、ｅＮＢ２００−１及びｅＮＢ２００−２は、互いに隣接するセルを管理する。また、ｅＮＢ２００−１のセル及びｅＮＢ２００−２のセルは、同一の周波数に属する。
【００４７】
ＵＥ１００−１は、ｅＮＢ２００−１のセルとの接続を確立した状態（接続状態）である。すなわち、ＵＥ１００−１は、ｅＮＢ２００−１のセルをサービングセルとして通信を行う。
【００４８】
これに対し、ＵＥ１００−２は、ｅＮＢ２００−２のセルとの接続を確立した状態（接続状態）である。すなわち、ＵＥ１００−２は、ｅＮＢ２００−２のセルをサービングセルとして通信を行う。図６では、ｅＮＢ２００−２のセルとの接続を確立するＵＥ１００−２を１つのみ図示しているが、実環境では、複数のＵＥ１００−２がｅＮＢ２００−２のセルとの接続を確立している。
【００４９】
ＵＥ１００−１は、ｅＮＢ２００−１のセル及びｅＮＢ２００−２のセルの境界領域に位置する。この場合、ＵＥ１００−１は、ｅＮＢ２００−２のセルからの干渉の影響を受ける。ＵＥ１００−１に対してＣＢ−ＣｏＭＰを適用することにより、ＵＥ１００−１が受ける干渉を抑圧できる。
【００５０】
以下において、ＵＥ１００−１に対してＣＢ−ＣｏＭＰを適用する場合のＣＢ−ＣｏＭＰの通信手順について説明する。尚、ＣＢ−ＣｏＭＰが適用されるＵＥ１００−１は、「ＣｏＭＰ  ＵＥ」と称されることがある。すなわち、ＵＥ１００−１は、ヌルステアリング対象端末に相当する。ＵＥ１００−１（ＣｏＭＰ  ＵＥ）のサービングセルは、「アンカーセル」と称されることがある。
【００５１】
ＵＥ１００−１及びＵＥ１００−２のそれぞれは、サービングセルから受信する参照信号などに基づいて、自身に対してビームを向けるためのビームフォーミング制御情報をサービングセルにフィードバックする。実施形態では、ビームフォーミング制御情報は、プリコーダ行列インジケータ（ＰＭＩ）及びランクインジケータ（ＲＩ）を含む。ＰＭＩは、サービングセルに推奨されるプリコーダ行列（送信アンテナウェイト）を示すインジケータである。ＲＩは、サービングセルに推奨されるランク（信号系列数）を示すインジケータである。ＵＥ１００−１及びＵＥ１００−２のそれぞれは、プリコーダ行列及びインジケータを関連付けたテーブル（コードブック）を保持しており、所望波の通信品質が向上するプリコーダ行列を選択し、選択したプリコーダ行列に対応するインジケータをＰＭＩとしてフィードバックする。
【００５２】
ＵＥ１００−１は、さらに、隣接セルから受信する参照信号などに基づいて、自身に対してヌルを向けるためのヌルステアリング制御情報をサービングセルにフィードバックする。実施形態では、ヌルステアリング制御情報は、ＢＣＩ（Ｂｅｓｔ  Ｃｏｍｐａｎｉｏｎ  ＰＭＩ）及びＲＩを含む。ＢＣＩは、隣接セルに推奨されるプリコーダ行列（送信アンテナウェイト）を示すインジケータである。ＵＥ１００−１は、プリコーダ行列及びインジケータを関連付けたテーブル（コードブック）を保持しており、干渉波の受信レベルが低減する或いは所望波への影響が低減するプリコーダ行列を選択し、選択したプリコーダ行列に対応するインジケータをＢＣＩとしてフィードバックする。
【００５３】
ｅＮＢ２００−１は、ＵＥ１００−１からフィードバックされるヌルステアリング制御情報（ＢＣＩ、ＲＩ）をｅＮＢ２００−２に転送する。
【００５４】
ｅＮＢ２００−２は、自セルと接続する複数のＵＥ１００−２のそれぞれからフィードバックされるビームフォーミング制御情報（ＰＭＩ、ＲＩ）と、隣接セルと接続するＵＥ１００−１からフィードバックされるヌルステアリング制御情報（ＢＣＩ、ＲＩ）と、を受信する。そして、ｅＮＢ２００−２は、ヌルステアリング制御情報と合致するビームフォーミング制御情報をフィードバックするＵＥ１００−２を、ＵＥ１００−１とペアをなすペアＵＥ（ペア端末）として選出する。実施形態では、「ヌルステアリング制御情報と合致するビームフォーミング制御情報」とは、ヌルステアリング制御情報に含まれるＢＣＩ及びＲＩの組み合わせと一致するＰＭＩ及びＲＩの組み合わせを含むビームフォーミング制御情報である。
【００５５】
ｅＮＢ２００−２は、ペアＵＥ（ＵＥ１００−２）を選出すると、ＵＥ１００−１に割り当てられる無線リソースと同一の無線リソースをペアＵＥに割り当てる。そして、ｅＮＢ２００−２は、ペアＵＥからフィードバックされたビームフォーミング制御情報（ＰＭＩ、ＲＩ）を適用してペアＵＥへの送信を行う。その結果、図７に示すように、ｅＮＢ２００−２は、ペアＵＥに対してビームを向けつつ、ＵＥ１００−１にヌルを向けて、ペアＵＥへの送信を行うことができる。
【００５６】
（実施形態に係る動作）
（１）ｅＮＢ２００−２の動作
上述したように、ｅＮＢ２００−２は、ＵＥ１００−１からフィードバックされるヌルステアリング制御情報（ＢＣＩ、ＲＩ）と合致するビームフォーミング制御情報（ＰＭＩ、ＲＩ）をフィードバックするＵＥ１００−２を、ＵＥ１００−１とペアをなすペアＵＥとして選出する。ここで、ＵＥ１００−１はヌルステアリング対象端末に相当し、ＵＥ１００−２はビームフォーミング対象端末に相当する。
【００５７】
しかしながら、ヌルステアリング制御情報と合致するビームフォーミング制御情報をフィードバックするＵＥ１００−２が存在しない場合には、ｅＮＢ２００−２は、ＵＥ１００−１とペアをなすペアＵＥを選出できず、ＣＢ−ＣｏＭＰを適用できない。
【００５８】
そこで、ｅＮＢ２００−２は、ヌルステアリング制御情報と合致するビームフォーミング制御情報をフィードバックするＵＥ１００−２が存在しない場合には、予め規定されたＲＩを含んだビームフォーミング制御情報をフィードバックするＵＥ１００−２をペアＵＥとして選出する。
【００５９】
実施形態では、予め規定されたＲＩとは、ＬＴＥシステムにおいて利用可能な複数のＲＩのうち、ランク（信号系列数）が最も多いＲＩである。ＬＴＥシステムでは、ランクは１から４まで規定されている。すなわち、１信号系列（ＲＩ＝１）から４信号系列（ＲＩ＝４）までの信号系列を多重送信するよう規定されている。
【００６０】
ここで、多重送信する信号系列数が多いほど、１つの信号系列当たりの電力密度が低くなる。よって、ＢＣＩと一致しないＰＭＩを適用して送信を行うことにより、ＵＥ１００−１にビームが向く場合であっても、ＵＥ１００−１における干渉レベルを低くすることができる。
【００６１】
言い換えると、予め規定されたＲＩとは、ＬＴＥシステムにおいて利用可能な複数のＲＩのうち、ＬＴＥシステムにおいて利用可能な複数のＰＭＩのそれぞれと組み合わせた場合における与干渉レベルのばらつきが最も小さいＲＩである。
【００６２】
図８は、ｅＮＢ２００−２が適用するビームフォーミング制御情報とＵＥ１００−１における干渉レベルとの関係を説明するための図である。図８は、ＵＥ１００−１がフィードバックするヌルステアリング制御情報と合致しないビームフォーミング制御情報を適用した場合のシミュレーション結果を図示している。
【００６３】
図８に示すように、１信号系列（ＲＩ＝１）の場合、１つの信号系列当たりの電力密度が高くなるため、ＵＥ１００−１における干渉レベルは、ｅＮＢ２００−２が適用するＰＭＩごとに大きく変化する。すなわち、ＲＩ＝１は、ＬＴＥシステムにおいて利用可能な複数のＰＭＩ（ＰＭＩ＝１〜１６）のそれぞれと組み合わせた場合における与干渉レベルのばらつきが最も大きい。
【００６４】
これに対し、４信号系列（ＲＩ＝４）の場合、１つの信号系列当たりの電力密度が低くなるため、ＵＥ１００−１における干渉レベルは、ｅＮＢ２００−２が適用するＰＭＩにかかわらず余り変化しない。すなわち、ＲＩ＝４は、ＬＴＥシステムにおいて利用可能な複数のＰＭＩ（ＰＭＩ＝１〜１６）のそれぞれと組み合わせた場合における与干渉レベルのばらつきが最も小さい。
【００６５】
よって、ＵＥ１００−１がフィードバックするヌルステアリング制御情報と合致しないビームフォーミング制御情報を適用する場合において、ＲＩ＝４を含むビームフォーミング制御情報を適用することにより、ＵＥ１００−１における干渉レベルを低くすることができる。
【００６６】
図９は、実施形態に係るｅＮＢ２００−２の動作フロー図である。本フローに先立ち、ｅＮＢ２００−２の無線送受信機２１０は、自セルと接続する複数のＵＥ１００−２のそれぞれからフィードバックされるビームフォーミング制御情報（ＰＭＩ、ＲＩ）を受信している。また、ｅＮＢ２００−２のネットワークインターフェイス２２０は、隣接セルと接続するＵＥ１００−１（ＣｏＭＰ  ＵＥ）からフィードバックされるヌルステアリング制御情報（ＢＣＩ、ＲＩ）をｅＮＢ２００−１経由で受信している。
【００６７】
図９に示すように、ステップＳ１０において、ｅＮＢ２００−２のプロセッサ２４０は、ヌルステアリング制御情報と合致するビームフォーミング制御情報をフィードバックするＵＥ１００−２を探索する。
【００６８】
ステップＳ１１において、ｅＮＢ２００−２のプロセッサ２４０は、ヌルステアリング制御情報と合致するビームフォーミング制御情報をフィードバックするＵＥ１００−２が存在するか否かを確認する。
【００６９】
ヌルステアリング制御情報と合致するビームフォーミング制御情報をフィードバックするＵＥ１００−２が存在する場合（ステップＳ１１：ＮＯ）、ステップＳ１２において、ｅＮＢ２００−２のプロセッサ２４０は、ヌルステアリング制御情報と合致するビームフォーミング制御情報をフィードバックするＵＥ１００−２をＵＥ１００−１（ＣｏＭＰ  ＵＥ）のペアＵＥとして選出する。
【００７０】
これに対し、ヌルステアリング制御情報と合致するビームフォーミング制御情報をフィードバックするＵＥ１００−２が存在しない場合（ステップＳ１１：ＹＥＳ）、ステップＳ１３において、ｅＮＢ２００−２のプロセッサ２４０は、ＲＩ＝４を含むビームフォーミング制御情報をフィードバックするＵＥ１００−２が存在するか否かを確認する。
【００７１】
ＲＩ＝４を含むビームフォーミング制御情報をフィードバックするＵＥ１００−２が存在しない場合（ステップＳ１３：ＮＯ）、適切なペアＵＥを選出できないため、ＣＢ−ＣｏＭＰの適用を停止する。例えば、ｅＮＢ２００−２は、ＵＥ１００−１（ＣｏＭＰ  ＵＥ）に割り当てられる無線リソースと同一の無線リソースを自セル内で割り当てないようにする。
【００７２】
これに対し、ＲＩ＝４を含むビームフォーミング制御情報をフィードバックするＵＥ１００−２が存在する場合（ステップＳ１３：ＹＥＳ）、ステップＳ１４において、ｅＮＢ２００−２のプロセッサ２４０は、ＲＩ＝４を含むビームフォーミング制御情報をフィードバックするＵＥ１００−２をＵＥ１００−１（ＣｏＭＰ  ＵＥ）のペアＵＥとして選出する。
【００７３】
ｅＮＢ２００−２は、ペアＵＥ（ＵＥ１００−２）を選出すると、ＵＥ１００−１に割り当てられる無線リソースと同一の無線リソースをペアＵＥに割り当てる。そして、ｅＮＢ２００−２は、ペアＵＥからフィードバックされたビームフォーミング制御情報（ＰＭＩ、ＲＩ）を適用してペアＵＥへの送信を行う。その結果、図７に示すように、ｅＮＢ２００−２は、ペアＵＥに対してビームを向けつつ、ＵＥ１００−１にヌルを向けて、ペアＵＥへの送信を行うことができる。
【００７４】
（２）全体動作
次に、実施形態に係るＬＴＥシステムの全体動作について説明する。
【００７５】
（２．１）動作概要
ＵＥ１００−１（ＣｏＭＰ  ＵＥ）は、推奨される変調・符号化方式（ＭＣＳ：Ｍｏｄｕｌａｔｉｏｎ  ａｎｄ  Ｃｏｄｉｎｇ  Ｓｃｈｅｍｅ）に関するチャネル品質情報（ＣＱＩ：Ｃｈａｎｎｅｌ  Ｑｕａｌｉｔｙ  Ｉｎｄｉｃａｔｏｒ）をｅＮＢ２００−１に送信している。ヌルステアリング制御情報を送信するＵＥ１００−１は、ヌルステアリングによりチャネル品質が改善されることを見込んで、修正したＣＱＩをｅＮＢ２００−１に送信することが望ましい。
【００７６】
しかしながら、ｅＮＢ２００−２は、ヌルステアリング制御情報と合致するビームフォーミング制御情報をフィードバックするＵＥ１００−２が存在しない場合に、ＲＩ＝４を含むビームフォーミング制御情報をフィードバックするＵＥ１００−２をペアＵＥとして選出している。この場合、ＵＥ１００−１がフィードバックしたヌルステアリング制御情報はｅＮＢ２００−２において採用されないことになる。
【００７７】
よって、ＵＥ１００−１は、ヌルステアリング制御情報に合わせてＣＱＩを修正した場合、そのＣＱＩが不適切なものとなり得るため、ｅＮＢ２００−１においてＵＥ１００−１に対するＭＣＳが適切に設定されない可能性がある。
【００７８】
例えば、ＵＥ１００−１が、フィードバックするヌルステアリング制御情報によりチャネル品質が大幅に改善すると見込んで、伝送レートが高く、かつ誤り耐性の低いＭＣＳに対応するＣＱＩをｅＮＢ２００−１に送信するケースを想定する。
【００７９】
このようなケースにおいて、ｅＮＢ２００−２がヌルステアリング制御情報を採用せずに、予め規定されたＲＩ＝４を採用した場合、ＵＥ１００−１が見込んだ程の改善が得られないことがある。しかしながら、ｅＮＢ２００−１は、ＵＥ１００−１からのＣＱＩに従って、伝送レートが高く、かつ誤り耐性の低いＭＣＳを適用してＵＥ１００−１への送信を行うため、伝送誤りが生じることになる。
【００８０】
そこで、実施形態では、以下の方法により、ｅＮＢ２００−１がＭＣＳを適切に設定可能とする。図１０は、実施形態に係るＬＴＥシステムの動作概要を説明するための図である。
【００８１】
図１０に示すように、ＵＥ１００−１は、ｅＮＢ２００−２からＵＥ１００−２への送信においてＵＥ１００−１にヌルを向けるためのヌルステアリング制御情報と、そのヌルステアリング制御情報がｅＮＢ２００−２において採用された場合に推奨されるＭＣＳに関する第１のＣＱＩと、をｅＮＢ２００−１に送信する。また、ＵＥ１００−１は、第１のＣＱＩの送信に代えて、又は第１のＣＱＩの送信に加えて、そのヌルステアリング制御情報がｅＮＢ２００−２において採用されない場合に推奨されるＭＣＳに関する第２のＣＱＩをｅＮＢ２００−１に送信する。
【００８２】
このように、２種類のＣＱＩを規定することにより、ヌルステアリング制御情報がｅＮＢ２００−２において採用されるケース及びヌルステアリング制御情報がｅＮＢ２００−２において採用されないケースの両ケースに対処可能となる。よって、ｅＮＢ２００−１においてＵＥ１００−１に対するＭＣＳを適切に設定できる。
【００８３】
実施形態では、第２のＣＱＩは、予め規定されたヌルステアリング制御情報（すなわち、Ｒ＝４）がｅＮＢ２００−２において採用された場合に推奨されるＭＣＳに関する情報である。このように、ＲＩ＝４に最適化された第２のＣＱＩをＵＥ１００−１からｅＮＢ２００−１に送信することにより、ｅＮＢ２００−２がＲＩ＝４を採用した場合でも、ｅＮＢ２００−１においてＵＥ１００−１に対するＭＣＳを適切に設定できる。
【００８４】
実施形態では、ｅＮＢ２００−１は、ＵＥ１００−１からヌルステアリング制御情報を受信し、かつヌルステアリング制御情報をｅＮＢ２００−２に転送する。ｅＮＢ２００−２は、ヌルステアリング制御情報を採用するか否かに関する通知（Ｎｅｉｇｈｂｏｒ  Ｃｅｌｌ割当結果）をｅＮＢ２００−１に送信する。これにより、ｅＮＢ２００−１は、ｅＮＢ２００−２においてヌルステアリング制御情報が採用されるか否かを把握できるため、２種類のＣＱＩのうち何れを選択すべきかを適切に判断できる。
【００８５】
実施形態では、ヌルステアリング制御情報を採用しない期間が一定期間を超えた場合、ｅＮＢ２００−１は、第２のＣＱＩに切り替えるための設定情報（Ｎｅｉｇｈｂｏｒ  Ｃｅｌｌ割当結果）をＵＥ１００−１に送信する。これにより、長期間に渡ってｅＮＢ２００−２においてヌルステアリング制御情報が採用されない場合に、第１のＣＱＩから第２のＣＱＩに切り替えることができる。
【００８６】
実施形態では、ＵＥ１００−１は、第１のＣＱＩを送信している場合に、第２のＣＱＩに切り替えるための設定情報（Ｎｅｉｇｈｂｏｒ  Ｃｅｌｌ割当結果）をｅＮＢ２００−１から受信する。ＵＥ１００−１は、設定情報の受信に応じて、第１のＣＱＩの送信に代えて第２のＣＱＩをｅＮＢ２００−１に送信する。これにより、２種類のＣＱＩを適切に使い分けることができる。
【００８７】
以下において、実施形態に係るＬＴＥシステムの全体動作について、動作パターン１乃至３の順に説明する。
【００８８】
（２．２）動作パターン１
図１１は、実施形態に係るＬＴＥシステムの動作パターン１のシーケンス図である。本シーケンスの初期状態において、ＵＥ１００−１が第１のＣＱＩをｅＮＢ２００−１に送信しており、ｅＮＢ２００−１は、第１のＣＱＩに従って、ＵＥ１００−１に対するＭＣＳを設定している。
【００８９】
図１１に示すように、ステップＳ１０１において、ＵＥ１００−１は、ヌルステアリング制御情報をｅＮＢ２００−１に送信する。ステップＳ１０２において、ヌルステアリング制御情報を受信したｅＮＢ２００−１は、ＵＥ１００−１の識別子（ＵＥ識別子）と共にヌルステアリング制御情報をｅＮＢ２００−２に転送する。
【００９０】
ステップＳ１０３において、ＵＥ識別子及びヌルステアリング制御情報を受信したｅＮＢ２００−２は、ヌルステアリング制御情報と合致するビームフォーミング制御情報をフィードバックするＵＥ１００−２が存在するか否かを確認する。ここでは、ヌルステアリング制御情報と合致するビームフォーミング制御情報をフィードバックするＵＥ１００−２が存在せず、ｅＮＢ２００−２は、例えば、Ｒ＝４を含むビームフォーミング制御情報をフィードバックするＵＥ１００−２をペアＵＥとして選出する。ｅＮＢ２００−２は、ヌルステアリング制御情報を採用しなかったことに応じて、ヌルステアリング制御情報を採用しない期間を計時するためのタイマを起動する。
【００９１】
その後、ステップＳ１０４において、ＵＥ１００−１は、ヌルステアリング制御情報をｅＮＢ２００−１に送信する。ステップＳ１０５において、ヌルステアリング制御情報を受信したｅＮＢ２００−１は、ＵＥ１００−１の識別子（ＵＥ識別子）と共にヌルステアリング制御情報をｅＮＢ２００−２に転送する。
【００９２】
ステップＳ１０６において、ＵＥ識別子及びヌルステアリング制御情報を受信したｅＮＢ２００−２は、ヌルステアリング制御情報と合致するビームフォーミング制御情報をフィードバックするＵＥ１００−２が存在するか否かを確認する。ここでは、ヌルステアリング制御情報と合致するビームフォーミング制御情報をフィードバックするＵＥ１００−２が存在せず、ｅＮＢ２００−２は、例えば、Ｒ＝４を含むビームフォーミング制御情報をフィードバックするＵＥ１００−２をペアＵＥとして選出する。また、ｅＮＢ２００−２は、ヌルステアリング制御情報を採用しない期間が、予め規定された期間を超えたと判断する。
【００９３】
ステップＳ１０７において、ｅＮＢ２００−２は、長期間に渡ってヌルステアリング制御情報を採用しないことを示す通知（Ｎｅｉｇｈｂｏｒ  Ｃｅｌｌ割当不可）をｅＮＢ２００−１に送信する。
【００９４】
ステップＳ１０８において、通知（Ｎｅｉｇｈｂｏｒ  Ｃｅｌｌ割当不可）を受信したｅＮＢ２００−１は、第２のＣＱＩに切り替えるための設定情報（Ｎｅｉｇｈｂｏｒ  Ｃｅｌｌ割当不可）をＵＥ１００−１に送信する。
【００９５】
ステップＳ１０９において、設定情報（Ｎｅｉｇｈｂｏｒ  Ｃｅｌｌ割当不可）を受信したＵＥ１００−１は、第２のＣＱＩに切り替えて、ＲＩ＝４を仮定して第２のＣＱＩを導出する。
【００９６】
ステップＳ１１０において、ＵＥ１００−１は、第１のＣＱＩに代えて、第２のＣＱＩをｅＮＢ２００−１に送信する。第２のＣＱＩを受信したｅＮＢ２００−１は、第２のＣＱＩに対応するＭＣＳを適用してＵＥ１００−１への送信を行う。
【００９７】
尚、第２のＣＱＩに切り替えた後、ｅＮＢ２００−１においてヌルステアリング制御情報と合致するビームフォーミング制御情報をフィードバックするＵＥ１００−２が発見された場合には、その旨の通知（Ｎｅｉｇｈｂｏｒ  Ｃｅｌｌ割当可）をｅＮＢ２００−２からｅＮＢ２００−１に送信してもよい。通知（Ｎｅｉｇｈｂｏｒ  Ｃｅｌｌ割当可）を受信したｅＮＢ２００−１は、第１のＣＱＩに切り替えるための設定情報（Ｎｅｉｇｈｂｏｒ  Ｃｅｌｌ割当可）をＵＥ１００−１に送信してもよい。
【００９８】
（２．３）動作パターン２
図１２は、実施形態に係るＬＴＥシステムの動作パターン２のシーケンス図である。本シーケンスの初期状態において、ＵＥ１００−１が第１のＣＱＩをｅＮＢ２００−１に送信しており、ｅＮＢ２００−１は、第１のＣＱＩに従って、ＵＥ１００−１に対するＭＣＳを設定している。
【００９９】
図１２に示すように、ステップＳ２０１において、ＵＥ１００−１は、ヌルステアリング制御情報をｅＮＢ２００−１に送信する。ステップＳ２０２において、ヌルステアリング制御情報を受信したｅＮＢ２００−１は、ＵＥ１００−１の識別子（ＵＥ識別子）と共にヌルステアリング制御情報をｅＮＢ２００−２に転送する。
【０１００】
ステップＳ２０３において、ＵＥ識別子及びヌルステアリング制御情報を受信したｅＮＢ２００−２は、ヌルステアリング制御情報と合致するビームフォーミング制御情報をフィードバックするＵＥ１００−２が存在するか否かを確認する。ここでは、ヌルステアリング制御情報と合致するビームフォーミング制御情報をフィードバックするＵＥ１００−２が存在せず、ｅＮＢ２００−２は、例えば、Ｒ＝４を含むビームフォーミング制御情報をフィードバックするＵＥ１００−２をペアＵＥとして選出する。
【０１０１】
ステップＳ２０４において、ｅＮＢ２００−２は、ヌルステアリング制御情報を採用しないことを示す通知（Ｎｅｉｇｈｂｏｒ  Ｃｅｌｌ割当不可）をｅＮＢ２００−１に送信する。通知（Ｎｅｉｇｈｂｏｒ  Ｃｅｌｌ割当不可）を受信したｅＮＢ２００−１は、ヌルステアリング制御情報が採用されない期間を計時するためのタイマを起動する。
【０１０２】
その後、ステップＳ２０５において、ＵＥ１００−１は、ヌルステアリング制御情報をｅＮＢ２００−１に送信する。ステップＳ２０６において、ヌルステアリング制御情報を受信したｅＮＢ２００−１は、ＵＥ１００−１の識別子（ＵＥ識別子）と共にヌルステアリング制御情報をｅＮＢ２００−２に転送する。
【０１０３】
ステップＳ２０７において、ＵＥ識別子及びヌルステアリング制御情報を受信したｅＮＢ２００−２は、ヌルステアリング制御情報と合致するビームフォーミング制御情報をフィードバックするＵＥ１００−２が存在するか否かを確認する。ここでは、ヌルステアリング制御情報と合致するビームフォーミング制御情報をフィードバックするＵＥ１００−２が存在せず、ｅＮＢ２００−２は、例えば、Ｒ＝４を含むビームフォーミング制御情報をフィードバックするＵＥ１００−２をペアＵＥとして選出する。
【０１０４】
ステップＳ２０８において、ｅＮＢ２００−２は、ヌルステアリング制御情報を採用しないことを示す通知（Ｎｅｉｇｈｂｏｒ  Ｃｅｌｌ割当不可）をｅＮＢ２００−１に送信する。
【０１０５】
ステップＳ２０９において、通知（Ｎｅｉｇｈｂｏｒ  Ｃｅｌｌ割当不可）を受信したｅＮＢ２００−１は、ヌルステアリング制御情報を採用しない期間が、予め規定された期間を超えたと判断する。
【０１０６】
ステップＳ２１０において、ｅＮＢ２００−１は、第２のＣＱＩに切り替えるための設定情報（Ｎｅｉｇｈｂｏｒ  Ｃｅｌｌ割当不可）をＵＥ１００−１に送信する。
【０１０７】
ステップＳ２１１において、設定情報（Ｎｅｉｇｈｂｏｒ  Ｃｅｌｌ割当不可）を受信したＵＥ１００−１は、第２のＣＱＩに切り替えて、ＲＩ＝４を仮定して第２のＣＱＩを導出する。
【０１０８】
ステップＳ２１２において、ＵＥ１００−１は、第１のＣＱＩに代えて、第２のＣＱＩをｅＮＢ２００−１に送信する。第２のＣＱＩを受信したｅＮＢ２００−１は、第２のＣＱＩに対応するＭＣＳを適用してＵＥ１００−１への送信を行う。
【０１０９】
尚、第２のＣＱＩに切り替えた後、ｅＮＢ２００−１においてヌルステアリング制御情報と合致するビームフォーミング制御情報をフィードバックするＵＥ１００−２が発見された場合には、その旨の通知（Ｎｅｉｇｈｂｏｒ  Ｃｅｌｌ割当可）をｅＮＢ２００−２からｅＮＢ２００−１に送信してもよい。通知（Ｎｅｉｇｈｂｏｒ  Ｃｅｌｌ割当可）を受信したｅＮＢ２００−１は、第１のＣＱＩに切り替えるための設定情報（Ｎｅｉｇｈｂｏｒ  Ｃｅｌｌ割当可）をＵＥ１００−１に送信してもよい。
【０１１０】
（２．４）動作パターン３
図１３は、実施形態に係るＬＴＥシステムの動作パターン３のシーケンス図である。
【０１１１】
図１３に示すように、ステップＳ３０１において、ＵＥ１００−１は、ヌルステアリング制御情報をｅＮＢ２００−１に送信する。また、ステップＳ３０２において、ＵＥ１００−１は、第１のＣＱＩと第２のＣＱＩとの間の差分（ΔＣＱＩ１）と、第２のＣＱＩ（ＣＱＩ１）と、をｅＮＢ２００−１に送信する。
【０１１２】
ステップＳ３０３において、ヌルステアリング制御情報を受信したｅＮＢ２００−１は、ＵＥ１００−１の識別子（ＵＥ識別子）と共にヌルステアリング制御情報をｅＮＢ２００−２に転送する。
【０１１３】
ステップＳ３０４において、ＵＥ識別子及びヌルステアリング制御情報を受信したｅＮＢ２００−２は、ヌルステアリング制御情報と合致するビームフォーミング制御情報をフィードバックするＵＥ１００−２が存在するか否かを確認する。ここでは、ヌルステアリング制御情報と合致するビームフォーミング制御情報をフィードバックするＵＥ１００−２が存在せず、ｅＮＢ２００−２は、例えば、Ｒ＝４を含むビームフォーミング制御情報をフィードバックするＵＥ１００−２をペアＵＥとして選出する。ｅＮＢ２００−２は、ヌルステアリング制御情報を採用しなかったことに応じて、ヌルステアリング制御情報を採用しない期間を計時するためのタイマを起動する。
【０１１４】
一方、ステップＳ３０５において、ｅＮＢ２００−１は、第１のＣＱＩと第２のＣＱＩとの間の差分（ΔＣＱＩ１）と、第２のＣＱＩ（ＣＱＩ１）と、に基づいて、第１のＣＱＩに対応するＭＣＳ（ＭＣＳ１）を導出する。
【０１１５】
ステップＳ３０６において、ｅＮＢ２００−１は、第１のＣＱＩに対応するＭＣＳ（ＭＣＳ１）を適用してＵＥ１００−１への送信を行う。
【０１１６】
その後、ステップＳ３０７において、ＵＥ１００−１は、ヌルステアリング制御情報をｅＮＢ２００−１に送信する。また、ステップＳ３０８において、ＵＥ１００−１は、第１のＣＱＩと第２のＣＱＩとの間の差分（ΔＣＱＩ２）と、第２のＣＱＩ（ＣＱＩ２）と、をｅＮＢ２００−１に送信する。
【０１１７】
ステップＳ３０９において、ヌルステアリング制御情報を受信したｅＮＢ２００−１は、ＵＥ１００−１の識別子（ＵＥ識別子）と共にヌルステアリング制御情報をｅＮＢ２００−２に転送する。
【０１１８】
ステップＳ３１０において、ＵＥ識別子及びヌルステアリング制御情報を受信したｅＮＢ２００−２は、ヌルステアリング制御情報と合致するビームフォーミング制御情報をフィードバックするＵＥ１００−２が存在するか否かを確認する。ここでは、ヌルステアリング制御情報と合致するビームフォーミング制御情報をフィードバックするＵＥ１００−２が存在せず、ｅＮＢ２００−２は、例えば、Ｒ＝４を含むビームフォーミング制御情報をフィードバックするＵＥ１００−２をペアＵＥとして選出する。また、ｅＮＢ２００−２は、ヌルステアリング制御情報を採用しない期間が、予め規定された期間を超えたと判断する。
【０１１９】
ステップＳ３１１において、ｅＮＢ２００−２は、長期間に渡ってヌルステアリング制御情報を採用しないことを示す通知（Ｎｅｉｇｈｂｏｒ  Ｃｅｌｌ割当不可）をｅＮＢ２００−１に送信する。
【０１２０】
ステップＳ３１２において、通知（Ｎｅｉｇｈｂｏｒ  Ｃｅｌｌ割当不可）を受信したｅＮＢ２００−１は、第２のＣＱＩ（ＣＱＩ２）に対応するＭＣＳ（ＭＣＳ２）を導出する。
【０１２１】
ステップＳ３１３において、ｅＮＢ２００−１は、第２のＣＱＩ（ＣＱＩ２）に対応するＭＣＳ（ＭＣＳ２）を適用してＵＥ１００−１への送信を行う。
【０１２２】
尚、第２のＣＱＩに切り替えた後、ｅＮＢ２００−１においてヌルステアリング制御情報と合致するビームフォーミング制御情報をフィードバックするＵＥ１００−２が発見された場合には、その旨の通知（Ｎｅｉｇｈｂｏｒ  Ｃｅｌｌ割当可）をｅＮＢ２００−２からｅＮＢ２００−１に送信してもよい。通知（Ｎｅｉｇｈｂｏｒ  Ｃｅｌｌ割当可）を受信したｅＮＢ２００−１は、第１のＣＱＩに切り替えてＵＥ１００−１への送信を行ってもよい。
【０１２３】
［実施形態の変更例］
上述した実施形態では、下りリンク・マルチアンテナ伝送の一形態であるＣＢ−ＣｏＭＰに本発明を適用する一例を説明したが、下りリンク・マルチアンテナ伝送の他の形態であるＭＵ（Ｍｕｌｔｉ  Ｕｓｅｒ）−ＭＩＭＯ（Ｍｕｌｔｉｐｌｅ−Ｉｎｐｕｔ  Ａｎｄ  Ｍｕｌｔｉｐｌｅ−Ｏｕｔｐｕｔ）に本発明を適用してもよい。実施形態の変更例では、本発明をＭＵ−ＭＩＭＯに適用するケースについて説明する。
【０１２４】
図１４及び図１５は、ＭＵ−ＭＩＭＯを説明するための図である。図１４に示すように、ＵＥ１００−１及びＵＥ１００−２のそれぞれは、ｅＮＢ２００のセルとの接続を確立した状態（接続状態）である。すなわち、ＵＥ１００−１及びＵＥ１００−２のそれぞれは、ｅＮＢ２００のセルをサービングセルとして通信を行う。図１４では、ｅＮＢ２００のセルとの接続を確立するＵＥ１００を２つのみ図示しているが、実環境では、３以上のＵＥ１００がｅＮＢ２００のセルとの接続を確立している。
【０１２５】
以下において、ＵＥ１００−１に対してＭＵ−ＭＩＭＯを適用する場合のＭＵ−ＭＩＭＯの通信手順について説明する。ここで、ＵＥ１００−１はヌルステアリング対象端末に相当し、ＵＥ１００−２はビームフォーミング対象端末に相当する。尚、上述した実施形態と重複する説明については省略する。
【０１２６】
ＵＥ１００−１及びＵＥ１００−２のそれぞれは、サービングセルから受信する参照信号などに基づいて、自身に対してビームを向けるためのビームフォーミング制御情報をサービングセルにフィードバックする。ビームフォーミング制御情報は、ＰＭＩ及びＲＩを含む。
【０１２７】
ＵＥ１００−１は、さらに、サービングセルから受信する参照信号などに基づいて、自身に対してヌルを向けるためのヌルステアリング制御情報をサービングセルにフィードバックする。ヌルステアリング制御情報は、ＢＣＩ（Ｂｅｓｔ  Ｃｏｍｐａｎｉｏｎ  ＰＭＩ）及びＲＩを含む。
【０１２８】
ｅＮＢ２００は、自セルと接続する複数のＵＥ１００−２のそれぞれからフィードバックされるビームフォーミング制御情報（ＰＭＩ、ＲＩ）と、自セルと接続するＵＥ１００−１からフィードバックされるヌルステアリング制御情報（ＢＣＩ、ＲＩ）と、を受信する。そして、ｅＮＢ２００は、ヌルステアリング制御情報と合致するビームフォーミング制御情報をフィードバックするＵＥ１００−２を、ＵＥ１００−１とペアをなすペアＵＥ（ペアＵＥ）として選出する。
【０１２９】
ｅＮＢ２００は、ペアＵＥ（ＵＥ１００−２）を選出すると、ＵＥ１００−１に割り当てられる無線リソースと同一の無線リソースをペアＵＥに割り当てる。そして、ｅＮＢ２００は、ペアＵＥからフィードバックされたビームフォーミング制御情報（ＰＭＩ、ＲＩ）を適用してペアＵＥへの送信を行う。その結果、図１５に示すように、ｅＮＢ２００は、ペアＵＥに対してビームを向けつつ、ＵＥ１００−１にヌルを向けて、ペアＵＥへの送信を行うことができる。
【０１３０】
本変更例では、上述した動作パターン１乃至３（図１１乃至図１３）において、ｅＮＢ２００−１及びｅＮＢ２００−２をまとめて１つのｅＮＢ２００とみなすことにより、ＭＵ−ＭＩＭＯにおいても、ｅＮＢ２００がＵＥ１００−１に対するＭＣＳを適切に設定できる。
【０１３１】
［その他の実施形態］
上述した実施形態では、ＵＥ１００−１が送信するヌルステアリング制御情報は、ｅＮＢ２００−１を介してｅＮＢ２００−２に間接的にフィードバックされていたが、ｅＮＢ２００−１を介さずにｅＮＢ２００−２に直接的にフィードバックされてもよい。
【０１３２】
上述した実施形態及びその変更例では、ｅＮＢ２００−２は、ヌルステアリング制御情報と合致するビームフォーミング制御情報をフィードバックするＵＥ１００−２が存在しない場合に、ＲＩ＝４を含むビームフォーミング制御情報をフィードバックするＵＥ１００−２をペアＵＥとして選出していた。しかしながら、ｅＮＢ２００−２は、ヌルステアリング制御情報と合致するビームフォーミング制御情報をフィードバックするＵＥ１００−２が存在しない場合に、ＣＢ−ＣｏＭＰの適用を停止してもよい。この場合、第２のＣＱＩは、予め規定されたＲＩ＝４を仮定して導出されたＣＱＩではなく、ＣＢ−ＣｏＭＰが適用されないと仮定して導出されたＣＱＩとすることが好ましい。
【０１３３】
上述した実施形態及びその変更例では、ヌルステアリング制御情報の一例としてＢＣＩについて説明したが、ＢＣＩに代えてＷＣＩ（Ｗｏｒｓｔ  Ｃｏｍｐａｎｉｏｎ  ＰＭＩ）を使用してもよい。ＷＣＩは、干渉源からの干渉レベルが高くなるプリコーダ行列を示すインジケータである。ｅＮＢ２００は、複数のＵＥ１００−２のそれぞれからフィードバックされるビームフォーミング制御情報（ＰＭＩ、ＲＩ）と、ＵＥ１００−１からフィードバックされるヌルステアリング制御情報（ＷＣＩ、ＲＩ）と、を受信する。そして、ｅＮＢ２００は、ヌルステアリング制御情報と合致するビームフォーミング制御情報をフィードバックするＵＥ１００−２を、ＵＥ１００−１とペアをなすペアＵＥ（ペア端末）として選出する。この場合、ヌルステアリング制御情報と合致するビームフォーミング制御情報とは、ヌルステアリング制御情報に含まれるＷＣＩと一致しないＰＭＩを含む、又は、ヌルステアリング制御情報に含まれるＲＩと一致するＲＩを含まないビームフォーミング制御情報である。
【０１３４】
上述した実施形態では、セルラ通信システムの一例としてＬＴＥシステムを説明したが、ＬＴＥシステムに限定されるものではなく、ＬＴＥシステム以外のシステムに本発明を適用してもよい。
【符号の説明】
【０１３５】
１０…Ｅ−ＵＴＲＡＮ、２０…ＥＰＣ、１００…ＵＥ、１０１…アンテナ、１１０…無線送受信機、１２０…ユーザインターフェイス、１３０…ＧＮＳＳ受信機、１４０…バッテリ、１５０…メモリ、１６０…プロセッサ、２００…ｅＮＢ、２０１…アンテナ、２１０…無線送受信機、２２０…ネットワークインターフェイス、２３０…メモリ、２４０…プロセッサ、３００…ＭＭＥ／Ｓ−ＧＷ
【図１】
2015012302.tif 000003
【図２】
2015012302.tif 000004
【図３】
2015012302.tif 000005
【図４】
2015012302.tif 000006
【図５】
2015012302.tif 000007
【図６】
2015012302.tif 000008
【図７】
2015012302.tif 000009
【図８】
2015012302.tif 000010
【図９】
2015012302.tif 000011
【図１０】
2015012302.tif 000012
【図１１】
2015012302.tif 000013
【図１２】
2015012302.tif 000014
【図１３】
2015012302.tif 000015
【図１４】
2015012302.tif 000016
【図１５】
2015012302.tif 000017